(57)【要約】  設定値に応じたパワーでレーザ光を照射する照射手段４０を備える光ピックアップ５２の駆動を制御するレーザ駆動装置１０は、レーザ光のパワーを設定するための状態値を指定するコードを入力するコード入力手段１１と、コードの入力に応じて、照射手段が照射するレーザ光のパワーを該コードによって指定される状態値に対応するパワー値へと変更するパワー変更手段１２ａ、１２ｂと、特定の状態値を指定するコードが入力される場合、次に入力されるコードによって指定される状態値に応じて当該レーザ駆動装置１０の駆動の態様を変更する制御手段１５とを備える。
2010070769.tif 000002
【特許請求の範囲】
【請求項１】
設定値に応じたパワーでレーザ光を照射する照射手段を備える光ピックアップの駆動を制御するレーザ駆動装置であって、
前記レーザ光のパワーを設定するための状態値を指定するコードを入力するコード入力手段と、
前記コードの入力に応じて、前記照射手段が照射する前記レーザ光のパワーを該コードによって指定される前記状態値に対応するパワー値へと変更するパワー変更手段と、
特定の状態値を指定する前記コードが入力される場合、次に入力される前記コードによって指定される前記状態値に応じて当該レーザ駆動装置の駆動の態様を変更する制御手段と
を備えることを特徴とするレーザ駆動装置。
【請求項２】
前記制御手段は、前記特定の状態値を指定する前記コードが入力される場合、次に入力される前記コードによって指定される前記状態値に応じて、前記照射手段が照射する前記レーザ光のパワーを、前記特定の状態値に対応する前記パワー値から変更しないよう当該レーザ駆動装置の駆動の態様を変更することを特徴とする請求の範囲第１項に記載のレーザ駆動装置。
【請求項３】
前記制御手段は、前記特定の状態値を指定する前記コードが入力される場合、次に入力される前記コードによって指定される前記状態値に応じて、前記パワー変更手段における前記状態値に対応する前記パワー値を変更するよう当該レーザ駆動装置の駆動の態様を変更することを特徴とする請求の範囲第１項に記載のレーザ駆動装置。
【請求項４】
前記パワー変更手段は、前記コードにより指定される複数の前記状態値と、該複数の前記状態値の夫々に対応する複数の前記パワー値とを格納するレジスタセットを更に備え、
少なくとも一つの前記状態値は、前記レジスタセットにおいて複数の前記パワー値に対応しており、
前記制御手段は、前記特定の状態値を指定する前記コードが入力される場合、次に入力される前記コードによって指定される前記状態値に応じて、複数の前記パワー値に対応する前記状態値について、対応する前記パワー値を一つ選択することを特徴とする請求の範囲第１項に記載のレーザ駆動装置。
【請求項５】
前記パワー変更手段は、前記コードにより指定される複数の前記状態値と、該複数の前記状態値の夫々に対応する複数の前記パワー値とを格納する複数のレジスタセットを更に備え、
前記制御手段は、前記特定の状態値を指定する前記コードが入力される場合、次に入力される前記コードによって指定される前記状態値に応じて、前記複数のレジスタセットのうち一つを選択することを特徴とする請求の範囲第１項に記載のレーザ駆動装置。
【請求項６】
当該レーザ駆動装置を駆動する電流に高周波の重畳電流を付加する重畳付加手段を更に備え、
前記制御手段は、前記特定の状態値を指定する前記コードが入力される場合、次に入力される前記コードによって指定される前記状態値に応じて、前記重畳電流の付加の有無、及び前記重畳電流の付加の態様を制御することを特徴とする請求の範囲第１項に記載のレーザ駆動装置。
【請求項７】
前記制御手段は、前記特定の状態値を指定する前記コードが入力される場合、次に入力される前記コードによって指定される前記状態値に応じて、当該レーザ駆動装置の駆動の態様を再生モードへと切り替え、
該再生モードにおいては、前記パワー変更手段は、前記レーザ光のパワーを所定の前記パワー値へと変更するとともに、前記コードの入力に応じては、前記照射手段が照射する前記レーザ光のパワーを変更しないことを特徴とする請求の範囲第１項に記載のレーザ駆動装置。
【請求項８】
前記コード入力手段は、二値的な信号値を採る複数の信号を組み合わせて入力することで前記コードの入力を行い、
前記コードの入力においては、一つ前の前記コードの入力との間で、前記複数の信号におけるいずれか一つの前記信号値にのみ変化が生じることを特徴とする請求の範囲第１項から第７項のいずれか一項に記載のレーザ駆動装置。
【請求項９】
前記コード入力手段は、前記複数の信号を組み合わせてグレイコードとして入力することで前記コードの入力を行うことを特徴とする請求の範囲第８項に記載のレーザ駆動装置。
【請求項１０】
前記特定の状態値を指定する前記コードが入力される場合、次の前記コードの入力においては、一つ前の前記コードの入力との間で、前記複数の信号における一つ以上の前記信号値に変化が生じることを特徴とする請求の範囲第９項に記載のレーザ駆動装置。
【請求項１１】
前記制御手段は、前記特定の状態値を指定する前記コードが入力される場合、以降の前記コードの入力に応じて当該レーザ駆動装置の駆動の態様を変更するとともに、前記コードの入力によって、復帰のための状態値が指定された場合、以降の前記コードの入力に応じては、前記パワー変更手段の駆動の態様を元に戻すことを特徴とする請求の範囲第９項に記載のレーザ駆動装置。
【請求項１２】
前記特定の状態値を指定する前記コードが入力される場合、以降の前記コードの入力が行われる場合において、前記復帰のための状態値が指定される場合、該復帰のための状態値を指定する前記コードの入力においては、一つ前の前記コードの入力との間で、前記複数の信号における一つ以上の前記信号値に変化が生じることを特徴とする請求の範囲第１１項に記載のレーザ駆動装置。
【請求項１３】
前記特定の状態値を指定する前記コード、前記復帰のための状態値を指定する前記コード、及び前記特定の状態値を指定する前記コードの入力以降に入力される前記コード、のうち少なくとも一つを設定することが可能な指定手段を更に備えることを特徴とする請求の範囲第１１項に記載のレーザ駆動装置。
【請求項１４】
前記コード入力手段は、前記コードの入力に加えて、該コードにより指定される前記状態値を適用するタイミングを指定するタイミング信号を入力し、
前記パワー変更手段は、該タイミング信号によって指定されるタイミングにおいて、前記コードの入力に応じて、前記照射手段が照射する前記レーザ光のパワーを変更することを特徴とする請求の範囲第９項に記載のレーザ駆動装置。
【請求項１５】
請求の範囲第１項に記載のレーザ駆動装置に接続され、
前記コード入力手段に対して、前記コードを示すコード信号を供給するコード信号供給手段を備えることを特徴とする信号処理回路。
【請求項１６】
請求の範囲第１項に記載のレーザ駆動装置を備えることを特徴とする情報記録装置。
【発明の詳細な説明】
【技術分野】
【０００１】
本発明は、光ディスクなどの情報記録媒体に対しレーザ光を照射することで情報の記録を行う情報記録装置に備えられ、レーザ光の出力を変動させつつ照射を行うよう制御するレーザ駆動装置、該レーザ駆動装置に備えられる信号処理回路及び該レーザ駆動装置が備えられる情報記録装置の技術分野に属する。
【背景技術】
【０００２】
例えば光ディスクなどの情報記録媒体においては、レーザダイオードから光ディスクに向けてレーザ光が照射されることで、該光ディスク上に記録マークないしは記録ピットが形成される。これにより、光ディスクにデータが記録される。レーザダイオードには、該レーザダイオードが動作するために必要な動作電圧が印加されるように、電源から一定の電源電圧が供給されている。そして、レーザダイオードから照射されるレーザ光は、トランジスタ等を含むレーザドライバ回路の動作により、その波形やパワーが制御される。特に、多値レベル化及びパルス分割されたレーザ光の波形やパワーのパターンをライトストラテジと言う。【０００３】
このようなライトストラテジを実現するためには、高速且つ連続的に変化するパルス化されたレーザ光の波形及びパワーを制御することが必要であり、従来、様々な手法が用いられている。【０００４】
例えば、レーザダイオードに対し、複数通りのパワーのレーザ光を照射させるための電流を供給する複数の電流源を備え、その電流源にそれぞれ対応する制御信号の入力により電流源からの電流の供給を直接切り替えることでレーザダイオードへの供給電流を変化させ、レーザダイオードのレーザ光のパワーを変化させる、所謂コンベンショナル型と呼ばれる手法がある。【０００５】
また、特許文献１には、複数の制御信号を組み合わせることで様々な状態値を指定するコードを入力し、該状態値に対応してレーザダイオードのレーザパワーを変更する構成が開示されている。【０００６】
【特許文献１】特開平１１−２−１９５２４号公報
【発明の開示】
【発明が解決しようとする課題】
【０００７】
複雑なライトストラテジの表現を実現するにあたっては、より多くのパワー値を表現可能であることが好ましい。その一方で、パワー値を表現するための入力信号の増加は、光ピックアップとドライブ本体との間の伝送ラインの増加に繋がり、配線領域の拡大、配線の屈曲部における可塑性の低下、接続コネクタピン数増加などに起因するコストの上昇、及び配線部からの不要輻射増大などの種々の技術的な問題を引き起こす可能性がある。特に、最近用いられる伝送ラインにおいては、高速な信号伝送を可能とするために、一の伝送ラインに二本の信号線を用いた差動信号方式が採用されることが多く、一の入力信号の増加が、二本の配線増加となるため、更に上述した影響が大きくなる。【０００８】
上述したコンベンショナル型の方法によれば、ライトストラテジの表現のために、ライトストラテジを構成するパワー値の数と同数の制御信号が必要となるため、複雑なライトストラテジに対応しようとすると、膨大な数の伝送ラインが必要となるという技術的な問題がある。【０００９】
また、特許文献１に記載されるコードを用いた構成によれば、伝送ラインの数に対する表現可能な状態値の数は増加するものの、それでもまだライトストラテジに応じて、伝送ラインが増加する可能性がある。【００１０】
本発明は、例えば上述した従来の問題点に鑑みなされたものであり、供給電流量を変更させるための信号の伝送ラインを極力少なく保ちつつ、より多くのレーザパワーより構成されるライトストラテジを表現し得るレーザ駆動装置を提供することを課題とする。
【課題を解決するための手段】
【００１１】
上記課題を解決するために、本発明のレーザ駆動装置は、設定値に応じたパワーでレーザ光を照射する照射手段を備える光ピックアップの駆動を制御するレーザ駆動装置であって、前記レーザ光のパワーを設定するための状態値を指定するコードを入力するコード入力手段と、前記コードの入力に応じて、前記照射手段が照射する前記レーザ光のパワーを該コードによって指定される前記状態値に対応するパワー値へと変更するパワー変更手段と、特定の状態値を指定する前記コードが入力される場合、次に入力される前記コードによって指定される前記状態値に応じて当該レーザ駆動装置の駆動の態様を変更する制御手段とを備える。【００１２】
上記課題を解決するために、本発明の信号処理回路は、上述のレーザ駆動装置に接続され、前記コード入力手段に対して、前記コードを示すコード信号を供給するコード信号供給手段を備える。【００１３】
上記課題を解決するために、本発明の情報記録装置は、上述のレーザ駆動装置を備える。【００１４】
本発明の作用及び他の利得は次に説明する実施の形態から明らかにされよう。
【図面の簡単な説明】
【００１５】
【図１】本実施例に係るＬＤドライバの基本的な構成例を概念的に示すブロック図である。
【図２】ライトストラテジの一例を示す図である。
【図３】本実施例に係るＬＤドライバにおける、各状態値間の遷移の態様を概念的に示す図である。
【図４】従来型のＬＤドライバによるライトストラテジの一例を示す図である。
【図５】本実施例に係るＬＤドライバによるライトストラテジの一例を示す図である。
【図６】本実施例に係るＬＤドライバによるライトストラテジの一例を示す図である。
【図７】本実施例に係るＬＤドライバによるライトストラテジの一例を示す図である。
【図８】本実施例に係るＬＤドライバによる重畳電流の付加の態様を示す図である。
【図９】本実施例に係るＬＤドライバによる記録モードの変更の態様を示す図である。
【図１０】従来型のＬＤドライバによるライトストラテジの一例を示す図である。
【図１１】本実施例に係るＬＤドライバによるライトストラテジの一例を示す図である。
【図１２】本実施例に係るＬＤドライバによるライトストラテジの一例を示す図である。
【図１３】本実施例に係るＬＤドライバによるライトストラテジの一例を示す図である。
【図１４】本実施例に係るＬＤドライバによるライトストラテジの一例を示す図である。
【図１５】本実施例に係る情報記録装置の基本的な構成例を概念的に示すブロック図である。
【符号の説明】
【００１６】
１  情報記録装置、
１０  ＬＤドライバ、
１１  デコーダ、
１２ａ、１２ｂ  レジスタセット、
１３ａ  特定コード選択部、
１３ｂ  復帰コード選択部、
１４  コマンド期間制御部、
１５  コマンド解釈部、
１６ａ、１６ｂ  コマンド部パワーレジスタ、
１７  出力選択部、
１８  ＤＡコンバータ、
２０  出力バッファ、
２１  記録信号発生部、
３０  ホストコンピュータ、
４０  レーザダイオード、
５０  ディスクドライブ、
５４  ＣＰＵ、
１００  光ディスク
【発明を実施するための最良の形態】
【００１７】
本発明のレーザ駆動装置に係る実施形態は、設定値に応じたパワーでレーザ光を照射する照射手段を備える光ピックアップの駆動を制御するレーザ駆動装置であって、前記レーザ光のパワーを設定するための状態値を指定するコードを入力するコード入力手段と、前記コードの入力に応じて、前記照射手段が照射する前記レーザ光のパワーを該コードによって指定される前記状態値に対応するパワー値へと変更するパワー変更手段と、特定の状態値を指定する前記コードが入力される場合、次に入力される前記コードによって指定される前記状態値に応じて当該レーザ駆動装置の駆動の態様を変更する制御手段とを備える。【００１８】
本発明のレーザ駆動装置に係る実施形態によれば、コード入力手段によって入力されるコードによって指定される状態値に応じて、照射手段が照射するレーザ光のパワー値が決定される。【００１９】
より具体的には、本実施形態のレーザ駆動装置においては、照射手段におけるレーザ光照射用の供給電流レベルが、照射するレーザ光のパワー値に対応するように複数通り用意されている。そして、該複数通りの電流レベルのうち、コード入力によって指定される状態値がパワー変更手段により選択されることで、照射手段へと供給される電流レベルが切り替わる。このような構成によれば、複数通りの電流レベルを制御信号で直接選択する場合に比較して、伝送ラインを減らすことが出来る。コード入力は、典型的には、複数の２値ロジック信号（以下、コード信号と記載）の信号値の状態の組み合わせによって行われる。【００２０】
コードによって指定される状態値に応じて電流レベルを選択する場合、例えば、後述するように二値的な信号値を採り得るコード信号を用いれば、８通りの電流レベルの夫々を３本の伝送ラインで指定することが出来る。【００２１】
更に、本発明のレーザ駆動装置に係る実施形態によれば、一のコードの入力によって特定の状態値が指定される場合、次のコードの入力に応じて、レーザ駆動装置の駆動の態様が変更される。言い換えれば、特定の状態値を指定するコード（以下、特定コードと記載）が入力される場合、次に入力されるコード（以下、選択コードと記載）は、通常通りのレーザ光のパワー値に対応する状態値の決定とは異なる処理が行われることになる。このとき、選択コードの入力に応じて、通常通りのレーザ光のパワー値に対応する状態値の決定を実施せずに、後述するようなレーザ駆動装置の駆動の態様の変更処理が実施されても良く、また、通常通りのレーザ光のパワー値に対応する状態値の決定とともに、レーザ駆動装置の駆動の態様の変更処理が実施されても良い。【００２２】
ここに、駆動の態様の変更とは、例えば、各状態値に対応するパワー値の変更、各状態値とパワー値との組み合わせが格納されるレジスタセットの一部、または全部の変更、高周波重畳電流の付加の態様の変更、並びに再生モードの切替などを含む、レーザ駆動装置における種々の動作の態様を変更させる処理を示す趣旨である。これらの処理は、夫々単独で実施されるよう構成されていても良く、また、複数の処理がまとめて実施されるよう構成されていても良いものである。【００２３】
例えば、特定コードの入力に続いて行われる選択コードの入力によって、各状態値に対応するパワー値の変更やレジスタセットの変更などが実施されるよう構成される場合、コード信号の伝送ラインの数を増やすことなく、より多くのパワー値を選択することが出来るようになり、多様なライトストラテジのパターンを実現することが可能となる。【００２４】
また、各状態値に対応するパワー値の変更やレジスタセットの変更などの他、高周波重畳の付加の態様の変更や、再生モードの切替を行う場合など、ラッチ動作を伴うことで、動作速度が遅くなりがちになる。しかしながら、このような処理は典型的には、ライトストラテジにおけるデータ記録部（つまり、マーク部）の間の部分（所謂、スペース部）において行われること、更に、スペース部は必ず所定の長さ継続することなどから、上述したように特定コードの入力に続いて行われる選択コードの入力に応じて、これらの処理を行うことで、好適なタイミングにおける処理の実施を実現出来る。【００２５】
以上、説明したように、本発明のレーザ駆動装置に係る実施形態によれば、照射手段のレーザ光のパワー値を選択するための状態値を指定するコードを用い、特定コードの入力に続く選択コードの入力に応じて、当該レーザ駆動装置の動作の態様が変更される。従って、コード信号の伝送に用いる伝送ラインの数を増やすことなく、より多様なライトストラテジを実現するためのパワー値を選択することや、好適なタイミングでの動作の変更処理を指示することが可能となる。【００２６】
本発明のレーザ駆動装置に係る実施形態の一の態様は、前記制御手段は、前記特定の状態値を指定する前記コードが入力される場合、次に入力される前記コードによって指定される前記状態値に応じて、前記照射手段が照射する前記レーザ光のパワーを、前記特定の状態値に対応する前記パワー値から変更しないよう当該レーザ駆動装置の駆動の態様を変更する。【００２７】
この態様によれば、ライトストラテジを構成するパワー値の変更において、一のパワー値に対応する状態値を指定するコードを上述の特定コードとして決定し、続くコード入力（つまり、選択コードの入力）によって指定される状態値へと状態値が遷移する場合、遷移した状態値に対応するパワー値への変更が行われない。言い換えれば、特定コードに続いて選択コードが入力された場合、該選択コードによって指定される状態値に依らず、別途用意した選択コード入力中に使用するパワー値、若しくは、特定コードによって指定される状態値と対応するものと同一のパワー値が選択されるよう構成される。【００２８】
このように構成することで、選択コードの違いによるレーザ光のパワー値の変更を伴うことなく、コードによって指定される状態値のみを変更させることが出来る。従って、例えば、後述するように、コードの入力による状態値の遷移に制限が係る場合（例えば、コード信号を伝送する複数の伝送ラインでは、一のタイミングにおいて一の伝送ラインにおける信号値のみ変更され得る場合）、パワー値の変更を伴うことなく状態値を遷移し得ることで、より多様な状態値間の遷移のパターンを実現出来るようになる。【００２９】
本発明のレーザ駆動装置に係る実施形態の他の態様は、前記制御手段は、前記特定の状態値を指定する前記コードが入力される場合、次に入力される前記コードによって指定される前記状態値に応じて、前記パワー変更手段における前記状態値に対応する前記パワー値を変更するよう当該レーザ駆動装置の駆動の態様を変更する。【００３０】
この態様によれば、ライトストラテジを構成するパワー値の変更において、一のパワー値に対応する状態値を指定するコードを上述の特定コードとして決定し、続くコード入力（つまり、選択コードの入力）によって指定される状態値へと状態値が遷移する場合、通常該状態値によって指定されるパワー値とは異なるパワー値が選択される。【００３１】
例えば、ある状態値Ａを指定するコードの入力に先駆けて、他の状態値Ｂを指定するコードが入力された場合と、また別の状態値Ｃを指定するコードが入力された場合とでは、状態値Ａに対応するパワー値が異なる。この例では、状態値Ｂを指定するコード、または状態値Ｃを指定するコードが選択コードとなって、対応するパワー値が変更される。【００３２】
この時、状態値Ｂ及び状態値Ｃが選択コードであるという判別は、選択コードに先駆けて入力される状態値Ｄが特定コードであるかどうかにより決定される。【００３３】
このように構成することで、コード信号の伝送に用いる伝送ラインの数を増やすことなく、より多様なライトストラテジを実現するためのパワー値を選択することが可能となる。尚、該構成によれば、より少ない状態値で多くのパワー値を表現することが出来るため、後述する状態値間の遷移に制限が設けられている態様において、特に有効に機能することとなる。【００３４】
本発明のレーザ駆動装置に係る実施形態の他の態様は、前記パワー変更手段は、前記コードにより指定される複数の前記状態値と、該複数の前記状態値の夫々に対応する複数の前記パワー値とを格納するレジスタセットを更に備え、少なくとも一つの前記状態値は、前記レジスタセットにおいて複数の前記パワー値に対応しており、前記制御手段は、前記特定の状態値を指定する前記コードが入力される場合、次に入力される前記コードによって指定される前記状態値に応じて、複数の前記パワー値に対応する前記状態値について、対応する前記パワー値を一つ選択する。【００３５】
この態様によれば、コード信号により指定される状態値と、該状態値に対応したライトストラテジを構成する各パワー値とが互いに関連付けられて格納されるレジスタが設けられる。尚、レジスタセットとは、少なくとも一つ以上のこのようなレジスタの集合を示す趣旨である。また、特にこの態様においては、レジスタセット内に格納される少なくとも一つの状態値に対して、複数のパワー値が関連付けられている。典型的には、コードの組み合わせによって指定され得る状態値のうち、少なくとも一つの状態値に対して、夫々異なるパワー値が対応されて格納される複数のレジスタが設けられる。【００３６】
そして、ライトストラテジを構成するパワー値の変更において、一のパワー値に対応する状態値を指定するコードを上述の特定コードとして決定し、続くコード入力（つまり、選択コードの入力）によって指定される状態値によって、次に、該複数のパワー値と関連付けられている状態値がコードにより指定されたときに選択されるパワー値が一つ決定される。【００３７】
例えば、レジスタセット内において、ある状態値Ａに対し、パワー値ＰＡ１及びパワー値ＰＡ２が関連付けられて格納されている場合、特定コードの入力に続いて入力される選択コードが指定する状態値によって、次に状態値Ａを指定するコードが入力された際に変更されるパワー値が、パワー値ＰＡ１またはパワー値ＰＡ２に決定される。より具体的には、状態値Ｂを指定するコードが特定コードであった場合、次に入力される選択コードが状態値Ｃを指定した場合、次に状態値Ａが指定されたときに対応するパワー値としてパワー値ＰＡ１が出力され、他方、次に入力される選択コードが状態値Ｄを指定した場合、次に状態値Ａが指定されたときに対応するパワー値としてパワー値ＰＡ２が出力されるよう制御される。【００３８】
このように構成することで、コード信号の伝送に用いる伝送ラインの数を増やすことなく、より多様なライトストラテジを実現するためのパワー値を選択することが可能となる。尚、該構成によれば、より少ない状態値で多くのパワー値を表現することが出来るため、後述する状態値間の遷移に制限が設けられている態様において、特に有効に機能することとなる。【００３９】
本発明のレーザ駆動装置に係る実施形態の他の態様は、前記パワー変更手段は、前記コードにより指定される複数の前記状態値と、該複数の前記状態値の夫々に対応する複数の前記パワー値とを格納する複数のレジスタセットを更に備え、前記制御手段は、前記特定の状態値を指定する前記コードが入力される場合、次に入力される前記コードによって指定される前記状態値に応じて、前記複数のレジスタセットのうち一つを選択する。【００４０】
この態様によれば、コード信号により指定される状態値と、該状態値に対応したライトストラテジを構成する各パワー値とは、互いに関連付けられてレジスタ内に格納されている。尚、レジスタセットとは、少なくとも一つ以上のこのようなレジスタの集合を示す趣旨である。また、特にこの態様においては、少なくとも一組の状態値に対して、複数通りのパワー値が対応されて格納される複数のレジスタセットが関連付けられて格納されている。典型的には、コードの組み合わせによって指定され得る全ての状態値に対して、夫々異なるパワー値が対応されて格納される複数のレジスタが設けられる。【００４１】
そして、ライトストラテジを構成するパワー値の変更において、一のパワー値に対応する状態値を指定するコードを上述の特定コードとして決定し、続くコード入力（つまり、選択コードの入力）によって指定される状態値によって、以降のコード入力により指定される状態値に対して、対応するパワー値のセットが一つ選択される。【００４２】
このように構成することで、各コードにより指定される状態値に対応する複数のパワー値を一度に切り替えることが出来る。従って、ＤＶＤ−ＲＡＭなどのランド記録とグルーブ記録を切り替えながら記録を行う場合や、ＣＡＶ(Constant Angular Velocity)記録において特定の線速度に達した場合など、データの記録中に複数のパワー値を一度に変更する必要が生じる場合などに好適に対応することが出来る。【００４３】
以上のことから、コード信号の伝送に用いる伝送ラインの数を増やすことなく、より多様なライトストラテジを実現するためのパワー値を選択することが可能となる。尚、該構成によれば、より少ない状態値で多くのパワー値を表現することが出来るため、後述する状態値間の遷移に制限が設けられている態様において、特に有効に機能することとなる。【００４４】
また、レジスタセットの切替はデータの記録マーク形成中でないタイミングで行う方が好ましい。従って、好適には、特定コードにより指定される状態値を、記録マーク部の最後のパワー値または終了時のクーリング部のパワー値と対応させ、スペース部において切り替えが実施される。【００４５】
本発明のレーザ駆動装置に係る実施形態の他の態様は、当該レーザ駆動装置を駆動する電流に高周波の重畳電流を付加する重畳付加手段を更に備え、前記制御手段は、前記特定の状態値を指定する前記コードが入力される場合、次に入力される前記コードによって指定される前記状態値に応じて、前記重畳電流の付加の有無、及び前記重畳電流の付加の態様を制御する。【００４６】
この態様によれば、特定コードに続いて入力される選択コードによって指定される状態値に基づいて、レーザ駆動装置に付加される高周波重畳電流の付加の態様が変更される。ここに、重畳電流の付加の態様とは、例えば、該重畳電流の振幅の大小や、付加の有無などを示す趣旨である。【００４７】
一般的な光ディスクの情報記録装置では、ディスクの記録層からの戻り光によって、照射手段におけるレーザダイオードのサーボ系に混入するノイズの増加を避けるため、数百ＭＨｚ程度の重畳電流を付加することが実施されている。【００４８】
例えば、高倍速のＤＶＤ−Ｒなどでは、このような重畳電流とライトストラテジ制御のための信号パルスが干渉することによって、記録パルスの劣化を招かないように、例えば、記録領域におけるスペース部分にのみ重畳電流を付加させるよう制御されている。【００４９】
この時、従来型の構成によれば、スペース部には一様に重畳電流が付加されるが、例えば、比較的短いスペース部では、記録パルス自体が重畳電流と同様の役割をする一方、熱干渉の観点からは出来るだけレーザ光の照射を行わない方が有利な場合がある。【００５０】
このように構成することで、例えば、特定コードにより指定される状態値を、記録マーク部の最後に配置されるクーリング部のパワー値に対応させ、次に入力されるコード（つまり、スペース部のパワー値を指定するコード）に指定される状態値に基づき、次のマーク部に続くスペース部での重畳電流の付加の態様を選択することが出来る。従って、伝送ラインの追加を行うことなく、重畳電流の付加の態様を好適に指示することが出来る。このため、例えば、長さの異なるスペース部の夫々に対して、異なる選択コードで重畳電流の付加の態様を決定することで、スペース部の長さに応じた重畳電流の付加の有無を指定することも出来る。【００５１】
本発明のレーザ駆動装置に係る実施形態の他の態様は、前記制御手段は、前記特定の状態値を指定する前記コードが入力される場合、次に入力される前記コードによって指定される前記状態値に応じて、当該レーザ駆動装置の駆動の態様を再生モードへと切り替え、
該再生モードにおいては、前記パワー変更手段は、前記レーザ光のパワーを所定の前記パワー値へと変更するとともに、前記コードの入力に応じては、前記照射手段が照射する前記レーザ光のパワーを変更しない。【００５２】
この態様によれば、特定コードに続いて入力される選択コードによって指定される状態値に基づいて、再生モードと記録モードとの切り替えを実施することが出来る。【００５３】
情報記録装置においては、ＤＶＤ−ＲＷなどの書換型の光ディスクに対しては、記録マークが形成されないスペース部であっても、一般的に通常のデータ再生時のレーザパワーよりも高いレーザパワー（所謂、イレースパワー）でのレーザ光の照射を行うことで、データの書換を実現している。この態様における「記録モード」とは、典型的には、このような主にスペース部を形成するイレースパワーと、主にマーク部を形成するライトパルスを交互に発生させることでのデータ記録を行う状態を示す趣旨である。【００５４】
このときの再生パワーとイレースパワーとの切り替えにおいては、単にパワー値を変更するだけでなく、同時にサーボ系のゲインも切り替える必要が生じる。このため、従来型のレーザ駆動装置においては、十分な時間軸上での精度が確保されるように、専用の信号線を設けたり、ライトストラテジを指定する入力信号によって示されるパワー値のうちの一つを再生用パワーに対応させるよう構成されている。しかしながら、このような構成を備えることで、前者によれば、本体と光ピックアップ間の接続本数が増加してしまい、上述したような問題を引き起こしかねず、また、後者によれば、ライトストラテジ用のパワー値設定に用いることの出来る信号の状態数が低下してしまう。【００５５】
このように構成することで、ライトストラテジに用いられるコードによって指定される状態値を用いたり、追加の伝送ラインを備えることなく、好適に再生モードと記録モードとの切り替えを実施することが出来る。【００５６】
本発明のレーザ駆動装置に係る実施形態の他の態様は、前記コード入力手段は、二値的な信号値を採る複数の信号を組み合わせて入力することで前記コードの入力を行い、前記コードの入力においては、一つ前の前記コードの入力との間で、前記複数の信号におけるいずれか一つの前記信号値にのみ変化が生じる。【００５７】
この態様によれば、コード入力によって指定される状態値間の遷移に制限が設けられる。例えば、二値的な値を採る複数の伝送ラインによって入力されるコード信号の状態に応じて、状態値が指定される態様においては、一のタイミングで一つの信号のみ信号値が変更し得るよう構成されている。【００５８】
このように構成することで、一の状態値の遷移のタイミングは、一のコード信号の変化によってのみ指定されるため、厳密にレーザパワー変更などのタイミングを制御することが可能となる。【００５９】
他方、状態値間の遷移が制限されることから、対応するパワー値間の遷移もまた制限され、表現可能なライトストラテジのパターンもまた低下してしまうという技術的な問題がある。しかしながら、本発明のレーザ駆動装置に係る他の実施形態を併せて用いることで、多様なライトストラテジの表現を可能としつつも、厳密なタイミング管理の可能なレーザ駆動装置を提供することが可能となる。【００６０】
また、上述のように状態値間の遷移に制限が設けられている態様においては、前記コード入力手段は、前記複数の信号を組み合わせてグレイコードとして入力することで前記コードの入力を行うよう構成されていても良い。【００６１】
このように構成すれば、一のタイミングで一つの信号のみ信号値が変更し得る構成において、コード信号の各状態に対し、好適に状態値やパワー値を対応させ、且つ状態値間の遷移を好適に行うことが可能となる。【００６２】
更に、上述のように状態値間の遷移に制限が設けられている態様においては、前記特定の状態値を指定する前記コードが入力される場合、次の前記コードの入力においては、一つ前の前記コードの入力との間で、前記複数の信号における一つ以上の前記信号値に変化が生じるよう構成されていても良い。【００６３】
このような構成によれば、特定コードが入力された次のコード（つまり、選択コード）の入力においては、上述したような一のタイミングで一つの信号のみ信号値が変更し得るとの制限を外れて、状態値の遷移が行われても良い。【００６４】
例えば、二値的な信号値を取り得るコード信号を３本の伝送ラインで用いる場合、８通りの状態値が考えられる。しかしながら、一のタイミングで一つの信号値のみ変更され得るとの制限においては、グレイコードにより示される各状態値は、夫々他の３つの状態値に対してのみ遷移が行える状態である。言い換えれば、一の状態値Ａから他の状態値Ｂへと遷移した場合、次に遷移し得る状態値は、状態値Ａ、状態値Ｃ及び状態値Ｅの３つだけとなる。より具体的には、グレイコードにより示される状態値０（つまり、３本の伝送ラインの信号値がすべて０である場合）から遷移可能な状態値は、状態値１（０，０，１）、状態値３（０，１，０）及び状態値７（１，０，０）の３つだけとなる。このため、状態値の遷移、ひいては、ライトストラテジのパターンの表現にも制限が加えられることとなる。【００６５】
そこで、上述したように特定コードと選択コードとの間で遷移の制限が外れるよう構成することで、グレイコードの遷移規則の制限を受けずに、特定コードの入力後に、任意の選択コードを入力することが可能となる。従って、更に多様なライトストラテジの表現が可能となる。【００６６】
尚、このとき、遷移の制限が外れたとしても、もともと遷移の制限を行ったことにより享受し得る利点が失われることはない。遷移の制限が外れるのは、特定コードの入力が確認された後のことであり、この状態からの遷移は、入力コードが特定コードでなくなった場合、選択コードの期間中に出力されるべきレーザパワーに対応する状態値に遷移する、という条件のもと一意に決定されることに起因するためである。【００６７】
本発明のレーザ駆動装置に係る実施形態の他の態様は、前記制御手段は、前記特定の状態値を指定する前記コードが入力される場合、以降の前記コードの入力に応じて当該レーザ駆動装置の駆動の態様を変更するとともに、前記コードの入力によって、復帰のための状態値が指定された場合、以降の前記コードの入力に応じては、前記パワー変更手段の駆動の態様を元に戻す。【００６８】
この態様によれば、一の状態値を指定するコードを上述の特定コードとして決定し、該特定コード以降、基本的には上述の特定コードとは別の状態値を指定するコードを復帰のためのコード（以下、復帰コードと記載）が入力されるまで、入力されるコードは、全て選択コードとして扱われる。尚、このとき、入力されるコードにグリッジが含まれる場合、公知のグリッジ除去の手法が使用されることなどによって、グリッジによる影響が除去されることが好ましい。【００６９】
従って、上述した各態様に記載されるような、特定コードに続く選択コードによって夫々指定される当該レーザ駆動装置の動作の変更の態様を連続して行うことが可能となる。【００７０】
以上のことから、コード信号の伝送に用いる伝送ラインの数を増やすことなく、より多様なライトストラテジを実現するためのパワー値を選択することが可能となる。【００７１】
また、上述のように復帰のための状態値を指定するコードが用いられる態様においては、前記特定の状態値を指定する前記コードが入力される場合、以降の前記コードの入力が行われる場合において、前記復帰のための状態値が指定される場合、該復帰のための状態値を指定する前記コードの入力においては、一つ前の前記コードの入力との間で、前記複数の信号における一つ以上の前記信号値に変化が生じるよう構成されていても良い。【００７２】
このような構成によれば、復帰コードにより指定される状態値と、その一つ前に入力されたコード（つまり、選択コード）により指定される状態値との間では、上述したような一のタイミングで一つの信号のみ信号値が変更し得るとの制限を外れて、状態値の遷移が行われても良い。【００７３】
このように構成することで、グレイコードの遷移規則の制限を受けずに、任意の状態値から、特定コードにより指定されるレーザ駆動装置の動作の態様が変更された状態から復帰するための復帰コードを入力することが可能となる。従って、更に多様なライトストラテジの表現が可能となる。【００７４】
また、上述のように復帰のための状態値を指定するコードが用いられる態様においては、前記特定の状態値を指定する前記コード、前記復帰のための状態値を指定する前記コード、及び前記特定の状態値を指定する前記コードの入力以降に入力される前記コード、のうち少なくとも一つを設定することが可能な指定手段を更に備えるよう構成されていても良い。。【００７５】
このような構成によれば、指定手段によって、特定コードにより指定される状態値、復帰コードにより指定される状態値、及び選択コードによって、対応するパワー値の選択が実施される状態値のうち、少なくとも一つを指定することが可能となる。【００７６】
従って、一の一連の状態値の遷移において、上述した各状態値を適宜設定することで、互いに異なるライトストラテジを表現することが可能となる。よって、更に多様なライトストラテジの表現が可能となる。【００７７】
本発明のレーザ駆動装置に係る実施形態の他の態様は、前記コード入力手段は、前記コードの入力に加えて、該コードにより指定される前記状態値を適用するタイミングを指定するタイミング信号を入力し、前記パワー変更手段は、該タイミング信号によって指定されるタイミングにおいて、前記コードの入力に応じて、前記照射手段が照射する前記レーザ光のパワーを変更する。【００７８】
この態様によれば、上述した状態値を指定するコード入力のためのコード信号に加えて、該コード入力によって指定される状態値を適用するためのタイミングを指定するタイミング信号が用いられる。【００７９】
このように構成すれば、例えば、上述したように、一のタイミングで一つの信号のみ信号値が変更し得るとの制限を外れて状態値の遷移が実施される場合などに対しても、厳密なタイミング管理を行うことが可能となる。【００８０】
尚、このようなタイミング信号は、全てのコードに対して、指定される状態値の適用タイミングを指定しても良く、また、例えば、特定コードや選択コードなど、ある種のコードの入力のみが実施されるよう構成されていても良い。【００８１】
本発明の信号処理回路に係る実施形態は、上述したレーザ駆動装置に係る実施形態の各種態様に接続され、前記コード入力手段に対して、前記コードを示すコード信号を供給するコード信号供給手段を備える。【００８２】
本発明の信号処理回路に係る実施形態によれば、上述したコード信号を好適に供給することが出来る。このように構成すれば、好適に上述したレーザ駆動装置の各効果を享受することが出来る。【００８３】
本発明の情報記録装置に係る実施形態は、上述した本発明のレーザ駆動装置に係る実施形態を備える。【００８４】
本発明の情報記録装置に係る実施形態によれば、上述したレーザ駆動装置の各効果を享受しながら、例えば光ディスクなどの情報記録媒体に対し、好適に情報の記録を行うことが出来る。【００８５】
以上説明したように、本実施形態に係るレーザ駆動装置によれば、照射手段と、コード入力手段と、パワー変更手段と、制御手段とを備える。本実施形態に係る信号処理回路によれば、コード信号供給手段を備える。本実施形態に係る情報記録装置は、本実施形態に係るレーザ駆動装置を備える。従って、供給電流量を変更させるための信号の伝送ラインを極力少なく保ちつつ、より多くのレーザパワーに対応したライトストラテジを実現出来る。
【実施例】
【００８６】
以下、本発明を実施するための最良の形態について図面を参照して説明する。【００８７】
（１）基本構成例
始めに、図１を参照して、本発明の実施例に係るＬＤドライバ（Laser Diode Driver）１０の基本的な構成について説明しながら、該ＬＤドライバ１０の基本的な動作について説明する。ここに、図１は、本実施例におけるレーザ駆動装置の一例であるＬＤドライバ１０の構成を概念的に表すブロック図である。尚、ＬＤドライバ１０は、典型的には、光ピックアップ５２（図１５参照）の内部に設けられ、同じく光ピックアップ５２内に設けられるレーザダイオードＬＤ（Laser Diode）４０に接続される。このため、ＬＤドライバ１０は、後に詳述するように、ライトストラテジにおけるレーザパワーに応じて、ＬＤ４０のレーザ光照射のためのレーザパワーを制御することが出来る。また、ＬＤドライバ１０は、典型的には、光ピックアップ５２が設けられる本体基板上に備えられる信号処理回路２０と接続されている。このため、外部からの例えばクロック管理などの制御を受けつつコード信号やタイミング信号の入力を受けることが出来る。【００８８】
図１に示されるように、ＬＤドライバ１０は、入力されるコード信号のデコード処理を行って状態値を取得するデコーダ１１と、デコードされたコード信号により指定される状態値とレーザパワーを決定するためのパワー値とが互いに関連付けられて格納されるレジスタセット１２ａ及び１２ｂと、デコードされたコード信号により指定される状態値に基づき特定コードの検出を行う特定コード選択部１３ａ及び復帰コードの検出を行う復帰コード選択部１３ｂと、特定コード及び復帰コードにより指定される選択コードの受け付けタイミングを検出するコマンド期間制御部１４と、該選択コードの受け付けタイミング中において入力される選択コードに基づくコマンドを出力するコマンド解釈部１５と、該選択コードによってレジスタセットに保持される通常のパワー値とは異なるパワー値の出力が要求される場合に、該パワー値を出力するためのコマンド部パワーＡ１６ａ及びコマンド部パワーＢ１６ｂと、状態値や選択コードによって指定されるコマンドによって指定される出力パワー値を選択する出力選択部１７と、該パワー値をレーザダイオード４０に出力するためのＤＡコンバータ（Digital Analog Convertor）１９と、出力バッファ２０とを備えて構成される。【００８９】
このようなＬＤドライバ１０の動作によれば、基本的にはレーザダイオード４０における照射レーザ光のパワー値を決定するためのコード信号の入力を受け、該コード信号の組み合わせに応じて、様々な動作が行われるよう制御される。より具体的には、特定コードが入力された後、復帰コードが入力されるまでの間に、コード信号の入力を受けた場合、該コードを選択コードとして解釈される。該選択コードは、レジスタセットに格納されるパワー値を決定するコマンドの他にも、ＬＤドライバ１０の駆動に係る各種動作を指示するコマンドとして解釈され得るものである。【００９０】
以下に、本実施例に係るＬＤドライバ１０の各部の動作や機能について詳しく説明する。【００９１】
デコーダ１１は、本実施例における「コード入力手段」の一具体例であって、信号処理回路２０内においてコード信号の生成を行う記録信号発生部２１に接続され、コード信号の入力を受ける。そこで、デコーダ１１は、典型的には複数本の伝送ラインにより入力されるコード信号をデコードすることで、信号の状態値を取得する。本実施例においては、図１に示されるように、３本の伝送ラインにより伝送される３つの信号値を組み合わせることで、８通りの状態値を表現する態様について説明する。【００９２】
尚、コード信号の伝送は、好適には、一のコード信号に対し二本の信号線を用い、公知の差動伝送方式などを用いて行われるよう構成されている。他方で、一のコード信号に対し一本の信号線を用いたシングルエンド方式で行われるよう構成されていても良い。【００９３】
レジスタセット１２ａ及び１２ｂは、コード信号によって指定される可能性のある状態値と、該状態値に対応するパワー値とを互いに関連付けて格納する、所謂レジスタの一群である。各状態値は、典型的には、夫々単一のパワー値に関連付けられて格納されている。他方、一つの状態値、または一揃いの状態値群に対して、夫々異なるパワー値を関連付ける複数のレジスタセット（例えば、レジスタセット１２ａ及びレジスタセット１２ｂ）が備えられていても良い。【００９４】
特定コード選択部１３ａは、デコーダによって処理されたコード信号によって指定される状態値の入力を受け、特定コードとされているコードが検出された場合、コマンド期間制御部１４へとその旨を伝える信号を出力する。他方、復帰コード選択部１３ｂは、同じくコード信号によって指定される状態値の入力を受け、復帰コードとされているコードが検出された場合、コマンド期間制御部１４へとその旨を伝える信号を出力する。尚、このような特定コード及び復帰コードとは、コード入力によって指定され得る状態値のうち、特定の値を指定するコードを示す趣旨である。このような特定の値は、あらかじめ設けられるレジスタなどに格納されていても良く、また、ＣＰＵ５４など、外部からの入力やその他何らかの手段により適宜決定されても良いものである。【００９５】
コマンド期間制御部１４は、特定コード及び復帰コード夫々の入力が行われたことを示す信号の入力を受け、選択コードの受け付けタイミングを管理する。より具体的には、特定コード選択部１３ａにおいて、特定コードの入力が検出された場合、以降のタイミングにおいて入力されるコードに対しては、選択コードとして扱われるよう各部を制御する、また、復帰コード選択部１３ｂにおいて、復帰コードの入力が検出された場合、以降のコードに対しては、選択コードではなく、通常の（言い換えれば、レジスタセット１２ａ、１２ｂからパワー値を選択する）コードとして扱われるよう各部を制御する。【００９６】
ここに、選択コードとは、デコーダ１１を介して入力されたコードであって、レジスタセット１２ａまたは１２ｂから夫々状態値に対応するパワー値を選択する通常のコマンドではなく、コマンド解釈部１５において、典型的には他の動作を示すコマンドとして解釈され得るコードを示す趣旨である。【００９７】
コマンド解釈部１５は、典型的には、コマンド期間制御部１４の動作によって、選択コードの受け付けタイミングであると指定されている状態において、デコーダ１１よりコード入力により指定される状態値の入力を受け、該状態値に夫々対応するコマンドを選択し、出力選択部１７へと出力する。ここで選択されるコマンドについては、後に詳述する。【００９８】
コマンド部パワーＡ１６ａ及びＢ１６ｂは、所定のパワー値が格納されるレジスタであって、コマンド解釈部１５において解釈される選択コマンドにより、レジスタセット１２ａ、１２ｂに格納されるパワー値とは異なるパワー値（例えば、ＰＳａまたはＰＳｂ）が決定される場合、該パワー値を出力選択部１７へと出力する。尚、このときのパワー値は、レジスタセット１２ａまたは１２ｂ内に格納されるものと同一のパワー値であっても良いものである。【００９９】
出力選択部１７は、通常はレジスタセット１２ａ、１２ｂからのパワー値決定信号を受け付けて、ＤＡコンバータ１９へと出力する。一方、出力選択部１７は、コマンド期間制御部１４によって選択コード受け付けタイミングであると指定されている場合においては、コマンド解釈部１５からのコマンドを処理するよう制御される。また、コマンドによりコマンド部パワーＡ１６ａまたはＢ１６ｂに格納されるパワー値が指定される場合には、該パワー値の入力を受け付け、ＤＡコンバータ１９へと出力する。【０１００】
ＤＡコンバータ１８は、出力選択部１７からパワー値を指示する信号の入力を受け、該信号をアナログ変換した後に出力バッファ１９を介してレーザダイオード４０へと出力する構成である。【０１０１】
また、記録信号発生部２１は、本発明に係る「コード信号供給手段」の一具体例であり、典型的には、上述のようにデコーダ１１へと接続されて、コード信号の生成及び供給を行う。【０１０２】
以上、説明したように、本実施例のＬＤドライバ１０によれば、コード入力を受けてレーザダイオード４０へと出力するパワー値を決定するとともに、選択コード受け付けタイミングにおいては、該コード入力がコマンド解釈部１５において解釈され、指定されたコマンドが実行される。【０１０３】
（２）基本効果
続いて、図２から図７を参照して、本実施例に係るＬＤドライバ１０を用いた具体的な効果について説明する。【０１０４】
一般的に、データの記録を行う際のライトストラテジは、一つのシーケンスにおけるパワー値の変化の様子によって幾つかのタイプに分類することが出来る。このようなライトストラテジの例として、例えば、Ｌ型、マルチパルス型、キャッスル型のライトストラテジが知られている。ここに、図２は、このようなライトストラテジの例を示す図である。【０１０５】
各ライトストラテジは、上段に示したＮＲＺＩ（Non Return to Zero Inversion）信号によって示されるマーク部（すなわち、ＮＲＺＩ信号値が高い部分）において、各マーク長に応じて記録用のパワー値を組み合わせて構成されている。【０１０６】
本実施例においては、２値的な値を採り得る３つのコード信号により指定される８つの状態値によって、ライトストラテジを構成する各々のパワー値が指定されて、レーザダイオード４０に出力される態様について特に説明する。【０１０７】
続いて、図３を用いて、本実施例に係るコード入力によるパワー値の指定の態様について説明する。図３は、本実施例に係る８つの状態値と、夫々の状態値に対応するパワー値との関係、及び各状態値間の遷移の態様について概念的に示す図である。【０１０８】
図３に示されるように、本実施例に係るコード入力は、２値的な値を採り得る３つのコード信号の組み合わせをグレイコードとして用いることで、夫々状態値を指定し、パワー値に対応付けられている。例えば、グレイコードの状態０（つまり、３つのコード信号値が０，０，０となる状態）に対しては、パワー値ｐ０が対応付けられている。基本的に、このような状態値とパワー値との組み合わせは、レジスタセット１２ａ、１２ｂに夫々格納されている。【０１０９】
また、本実施例に係る各状態値間には、その遷移に制限が設けられている。つまり、複数の伝送ラインにより伝送されるコード信号において、一のタイミングにおいては一の信号値のみが遷移する。言い換えれば、一のコードが入力された次に入力されるコードは、該一のコードと信号値が一つ異なるものでなければならない。よって、図３に示される図においては、各状態値は夫々隣り合う３つの状態値（例えば、状態０からは、状態１、状態３及び状態７）にのみ遷移することが可能である。【０１１０】
これは、すなわち、一のコード入力タイミングでは、一の信号値の変化のタイミングにおいて新しい状態値が適用されることを示す。従って、ライトストラテジのためのパワー値の切り替えなど、比較的厳密なタイミング管理が必要となる場合において特に有効である。【０１１１】
尚、後に詳述するように、選択コードによって指定されるコマンドには、このような遷移の制限を外れて状態値の遷移が実施されるものも含まれる。【０１１２】
続いて、このようなグレイコードの入力による実際のライトストラテジの表現の態様について図４から図６を参照して説明する。ここに、図４から図６は、夫々ライトストラテジを実現するための入力コードに指定される状態値及びそのパワー値を示す図である。【０１１３】
まず、図４を参照して、従来型のレーザ駆動装置に係るパワー値の選択の態様について説明する。【０１１４】
図４に示されるライトストラテジは、夫々異なる８つのパワー値の組み合わせより構成されている。従って、上述した状態値間の遷移の制限が設けられていないランダムコードを用いた場合、８つの状態値によってライトストラテジが表現される。他方で、上述した遷移規則に従うグレイコードによれば、状態値は８つあるものの、互いの遷移に制限が設けられているため、ライトストラテジを表現しきれていない（状態値がアスタリスクで示される部分参照）。【０１１５】
次に上述するように、選択コードによるコマンド指定を可能とする本実施例に係るコードの入力によるライトストラテジの表現の態様について説明する。【０１１６】
図５は、ランダムコードを用いる構成におけるライトストラテジを表現する態様を示す図である。図５の上段には、図４と同様の８つのパワー値の組み合わせから成るライトストラテジが、中段には、入力コードにより夫々指定される状態値と、該状態値に対応するパワー値が、下段には、このような構成において、レジスタセット１２ａまたは１２ｂに格納される状態値とパワー値との関係が夫々示されている。【０１１７】
この構成によれば、状態値２に対して、３通りのパワー値（つまり、ｐ２ａ、ｐ２ｂ及びｐ２ｃ）が関連付けられている。また、パワー値ｐＳとは、選択コードにより指定されるコマンドによって、コマンド部パワーが格納されるレジスタ１６ａまたは１６ｂより出力されるパワー値を示す。【０１１８】
図５に示される例においては、状態値０が特定コードとして設定されているとともに、状態値２が復帰コードとして設定されている。【０１１９】
また、特定コードに続く選択コードの入力においては、本来指定される状態値に関わらず、パワー値ｐＳが出力されるようコマンドが設定されている。更に、特定コードに続く選択コードの入力において指定された状態値に基づいて、次に入力される状態値２を指定するコードにおいて、対応付けられている３つのパワー値のうち１つが選択される。つまり、選択コードに示される状態値が状態値４である場合、次の状態値２に対応するパワー値はｐ２ｃが選択され、選択コードにより状態値３が指定される場合には、次の状態値２に対しては、パワー値ｐ２ｂが選択され、選択コードにより状態値１が指定される場合には、次の状態値２に対しては、パワー値ｐ２ａが選択されている。【０１２０】
また、図６は、状態値間の遷移に制限が設けられたグレイコードを用いる構成におけるライトストラテジを表現する態様を示す図である。【０１２１】
図６に示される例では、状態値０が特定コードとして設定されているとともに、状態値６が復帰コードとして設定されている。また、図５と同様に、選択コードに対しては、本来の状態値に関わらず、パワー値ｐＳが出力されるとともに、選択コードに指定される状態値によって、状態値６に対応するパワー値が選択される。【０１２２】
尚、上述した例においては、状態値の遷移は、コード信号値によって表される各状態値において、一のタイミングで一の信号値にしか変更が出来ないように構成されている。言い換えれば、各状態値は、グレイコードにおいて、複数の信号におけるいずれか一つの信号値が異なる状態値のみにしか遷移が行えないように構成されている。このため、ランダムコードと比較して、同数の状態値を備えるコード入力であっても、表現できるライトストラテジの自由度は低下している。【０１２３】
しかしながら、特定コード入力に続く選択コードの入力や、選択コードの入力に続く復帰コードの入力において、上述したグレイコードの遷移規則を外れて、任意の状態値へと遷移可能なように構成されても良い。例えば、図６に示される例においては、特定コードにより状態値５が指定される次の選択コードの入力において、グレイコードの制限規則においては、遷移が不可能とされる状態値０が指定されている部分がある。【０１２４】
このように構成することで、グレイコードの遷移の制限を外れて、同時に複数の信号値が変化するような状態値間の遷移が可能となる。このため、入力されるコード信号の数を増加させることなく、多様なライトストラテジの表現が可能となる。【０１２５】
尚、特定コードから選択コードへの遷移において、グレイコードの遷移の制限を外れても良い理由は、選択コード中はどのようなコードが入力されても、パワー値はｐＳであり、
言い換えれば、特定コードが検出された後は、入力されるコードが特定コード以外のコードになった時点で常にｐＳを出力すれば良いからである。従って、複数本の信号線が変化したとしても、全ての信号が制定するのを待つ必要が無く、その内の最も早い信号変化にて出力遷移が決定されるためである。従って、少なくとも一つの信号について、入力タイミングを厳密に管理することで、状態値の変更タイミングを適切に管理することが出来る。【０１２６】
図５及び図６に示されるように、本実施例に係る構成によれば、８つのパワー値の組み合わせから成るライトストラテジを、より少ない状態値を用いることで表現出来る。【０１２７】
このように、選択コードにより指定されるコマンドに応じて、コマンド部パワーに格納されるパワー値の出力や、他の状態値に対応する複数のパワー値の選択を行う構成にすることで、より少ない状態値で、多様なライトストラテジの実現が可能となる。【０１２８】
尚、図５及び図６に示される例においては、レジスタセット中、一の状態値に対応するパワー値のみが選択されるよう構成されていたが、例えば、一組の状態値に対応するパワー値を全て入れ替えるよう構成されていても構わない。続いて、図７を参照して、このようなレジスタセットに格納されるパワー値を一括で入れ替える態様について説明する。【０１２９】
図７は、ランダムコードを用いる構成におけるライトストラテジを表現する態様を示す図である。図７に示される例では、状態値１から７の夫々に対し、夫々異なるパワー値が関連付けられる２通りのレジスタセット１及び２が備えられている。また、選択コードに指定されるコマンドによって出力されるコマンド部パワーについても、２通りのパワー値が格納されるレジスタが備えられている。このとき、パワー値ｐＳａ及びｐＳｂは、後述するレジスタセットの切り替え動作によって、適宜出力されるパワー値が切り替えられるよう構成されても良く、また、選択されるレジスタセットに関わらず一通りのパワー値が出力されるよう構成されていても良い。【０１３０】
また、コード入力においては、状態値５が特定コードとして設定されているとともに、状態値１が復帰コードとして設定されている。そして、選択コードに対しては、本来の状態値に関わらず、現在選択されているレジスタセットに基づいてパワー値ｐＳａまたはｐＳｂが出力されるとともに、選択コードに指定される状態値によって、レジスタセット１または２が選択される。より具体的には、選択コードにより状態値０が指定される場合、以降のコード入力においては、状態値に対応するパワー値はレジスタセット１（つまり、パワー値ｐ０ａからｐ７ａ）より選択され、状態値２が指定される場合、以降のコード入力においては、状態値に対応するパワー値はレジスタセット２（つまり、パワー値ｐ０ｂからｐ７ｂ）より選択される。【０１３１】
このような構成によれば、一度に複数の状態値に対応するパワー値を切り替えることが出来る。【０１３２】
（３）その他の効果
例えば、選択コードによって指定されるコマンドによって、パワー値の指定やレジスタセットの選択以外の動作が実施されても良い。以下に、このようなコマンドの例について、図を参照しながら説明する。【０１３３】
図８に示される例においては、選択コードによってＬＤドライバ１０に付加される高周波重畳電流の態様が制御されている。一般的なＬＤドライバにおいては、駆動電流に対し、数百ＭＨｚ程度の重畳電流が付加される。しかしながら、このような重畳電流と、ストラテジ信号とが干渉してしまい、記録信号の劣化などが生じる可能性もあるため、マーク部への記録に際してはこのような電流が重畳されないことが好ましい。また、高倍速記録が実施される場合など、比較的短いスペース部における熱干渉を軽減するために、このような短スペース部のみ重畳の付加の態様を変更したい場合などもある。【０１３４】
従来型のＬＤドライバにおいて、重畳電流の付加の態様を変更するよう構成する場合、更に専用の制御信号を備えることが必要となり、伝送ラインの増加などに繋がる可能性がある。【０１３５】
然るに、図８に示される例においては、スペース部への照射のためのパワー値（所謂、再生パワー、またはイレースパワー）に対応する状態値を指定するコードが選択コードとなるように、記録マーク部の最後のパワー値（典型的には、所謂クーリングパワー）に対応する状態値を指定するためのコードが特定コードに設定されている。そして、選択コードに指定される状態値に応じて、次のスペース部における重畳電流の付加の態様が決定される。例えば、図８に示される例においては、選択コードに指定される状態値が２である場合、次のスペース部においては重畳電流は付加されず、他方で選択コードに指定される状態値が０である場合には、次のスペース部においては重畳電流は付加されるよう構成されている。【０１３６】
このような構成によれば、伝送ラインを増加させることなく、スペース部における重畳電流の付加の態様を変更することが出来る。また、選択コードは、重畳電流の付加の有無の他にも、例えば、高周波重畳電流の振幅を変更するよう構成されていても良い。
尚、このような例においては、スペース部毎に重畳の有無を制御しているが、後述する再生モードと記録モードの切替と同様の手法により、再生モードと記録モードとの間で重畳電流の付加の様態を変更するようにしても良い。【０１３７】
また、図９に示されるように、選択コードによって、ＬＤドライバ１０の駆動の態様を再生モードと記録モードとの間で切り替えるよう構成されていても良い。ここに、記録モードとは、典型的には、コード入力によって指定される状態値に応じたパワー値が適用されることで、様々なレーザパワーでのレーザ光が照射されることでデータの記録が行われる状態を示す趣旨であり、再生モードとは、典型的には、コード入力によって指定される状態値に関わらず、一定な再生時のレーザパワーでの照射を行う状態を示す趣旨である。【０１３８】
図９に示される例においては、選択コードにより指定される状態値によって、次に選択コードが入力されるタイミングにおいて適用されるモードが決定される。例えば、図９に示される例においては、選択コードに指定される状態値が２である場合、次の選択コード入力タイミングにおいて記録モードが適用され、他方、選択コードに指定される状態値が０である場合には、次の選択コード入力タイミングにおいて再生モードが適用される。【０１３９】
このような構成によれば、伝送ラインを増加させることなく、再生モードと記録モードとの間での切り替えを行うことが出来る。また、再生モードの最中には、典型的には、状態値に関わらず所定のレーザパワーが出力されるため、このときにコードの入力を行うことで、状態値の遷移に伴うレーザパワーの変更を考慮することなく、特定コードや選択コードの入力を実施することが可能である。【０１４０】
このように、本実施例によれば、レーザパワーの変更の他にもＬＤドライバ１０の駆動の態様の変更などのコマンドが選択コードの入力に応じて指定されても良い。このように構成することで、本来のコマンド入力のための伝送ラインを用いることなく、レーザパワーの変更のためのコード入力用の伝送ラインのみを用いて、様々なコマンドを指定することが出来る。結果、伝送ラインの数を増やすことなく、好適なＬＤドライバ１０の駆動の制御を実施することが可能となる。【０１４１】
（４）グレイコードを用いた実施例
続いて、本実施例に係る選択コードによるコマンド指定が行われる態様を、状態値間の遷移に制限が設けられたグレイコードを用いた構成に対して適用した場合について説明する。【０１４２】
まず、図１０を参照して、従来型のグレイコードを用いた構成によるライトストラテジの表現について説明する。図１０に示される例においては、１０通りのパワー値から構成されるライトストラテジを８通りの状態値によって表現しようとしているため、状態値が２つ足らず、表現し切れていない。【０１４３】
つまり、従来型のコード入力によるライトストラテジの表現においては、信号の伝送ラインの数により決定される状態値の総数を超える数のパワー値から成るライトストラテジは表現出来ないという技術的な問題がある。【０１４４】
他方、図１１及び図１２に示される本実施例に係るライトストラテジの表現の態様によれば、伝送ラインの数を増加することなく、状態値の数以上のパワー値より成るライトストラテジの表現が可能となる。【０１４５】
図１１及び図１２に示される例においては、夫々一の状態値に対し、複数のパワー値が関連付けられて格納されるレジスタセットが備えられている。そして、上述した例のように、選択コードの入力によって指定されるコマンドにおいて、該状態値に対応するパワー値を切り替えるよう構成することで、状態値の数よりも多くのパワー値を表現することが可能となる。【０１４６】
例えば、図１１に示される例においては、状態値０を指定するコードが特定コードに設定され、選択コードに指定される状態値によって、複数のパワー値に関連付けられている状態値２、５及び７に対して、適用されるレジスタセット１または２が切り替えられる。【０１４７】
また、図１２に示される例においては、状態値０を指定するコードが特定コードに設定され、選択コードに指定される状態値によって、複数のパワー値に関連付けられている状態値２及び５に適用されるレジスタセット１または２が切り替えられるとともに、選択コードの状態値に関わらず、選択コードの入力に際しては、パワー値ｐＳが指定される。【０１４８】
従って、これらの例においては、状態値の数よりも多くのパワー値を表現することが実現されている。【０１４９】
また、選択コードの入力によってパワー値が切り替えられる状態値は、何らかの手段に基づいて適宜決定されるよう構成されていても良い。【０１５０】
例えば、図１３に示される例においては、状態値０を指定する特定コードの入力に続く選択コードの入力によって指定される状態値に応じて、続く復帰コードの入力により指定される状態値（つまり、状態値２）に対応するパワー値が変更されている。【０１５１】
他方、図１３と同様の状態値の遷移が行われる図１４に示される例においては、状態値０を指定する特定コードの入力に続く選択コードの入力によって指定される状態値に応じて、続く復帰コードの入力により指定される状態値（つまり、状態値２）に対応するパワー値は変更を受けない。他方で、状態値７に対応するパワー値が選択コードの入力に応じて変更を受けている。【０１５２】
つまり、図１３と図１４とは、本実施例に係る構成において、選択コードによりパワー値の変更を受ける状態値を変更することで、同じライトストラテジを異なった構成で表現出来ることを示している。【０１５３】
このとき、例えば、外部からの信号入力などによって、選択コードによりパワー値の変更を受ける状態値を指定するよう構成することで、同一のハードウェア構成において図１３と図１４のいずれの動作も可能とする事が可能となり、より多様なライトストラテジを表現することが可能となる。【０１５４】
尚、上述した例においては、状態値の遷移は、コード信号値によって表される各状態値において、一のタイミングで一の信号値にしか変更が出来ないように構成されている。言い換えれば、各状態値は、グレイコードにおいて、複数の信号におけるいずれか一つの信号値が異なる状態値のみにしか遷移が行えないように構成されている。このため、ランダムコードと比較して、同数の状態値を備えるコード入力であっても、表現できるライトストラテジの自由度は低下している。【０１５５】
しかしながら、上述したように、本実施例に係る選択コードにより指定されるコマンドを用いることで、より多様なライトストラテジを表現することが可能となる。【０１５６】
（５）情報記録装置の構成例
次に、図１５を参照して、本実施例に係る情報記録装置１の基本構成について説明する。ここに、図１５は、本実施例に係る情報記録装置１の基本的な構成を概念的に示すブロック図である。尚、情報記録装置１は、上述のＬＤドライバ１０を備える光ピックアップ５２を備え、少なくとも、マウントされた光ディスク１００に対してデータを記録する機能を備える。【０１５７】
図１５に示すように、情報記録装置１は、実際に光ディスク１００がローディングされ且つデータの記録が行なわれるディスクドライブ５０と、該ディスクドライブ５０に対するデータの記録を制御するパーソナルコンピュータ等のホストコンピュータ３０とを備えている。【０１５８】
ディスクドライブ５０は、光ディスク１００、スピンドルモータ５１、光ピックアップ（ＰＵ：Pick up）５２、信号記録再生部５３、メモリ５４、ＣＰＵ５５、入出力制御部５６及びバス５７を備えて構成されている。また、ホストコンピュータ３０は、夫々不図示の操作／表示制御手段、操作ボタン、表示パネル、ＣＰＵ、メモリ、入出力制御手段及びバスなどを備えて構成される。【０１５９】
スピンドルモータ５１は光ディスク１００を回転及び停止させるもので、光ディスク１００へのアクセス時に動作する。より詳細には、スピンドルモータ５１は、図示しないサーボユニット等によりスピンドルサーボを受けつつ所定速度で光ディスク１００を回転及び停止させるように構成されている。【０１６０】
光ピックアップ５２は、光ディスク１００への記録を行うために、例えばレーザダイオード（ＬＤ：Laser Diode）４０、上述したＬＤドライバ１０、フォトディテクタ（ＰＤ：Photo Detector）４１、図示しないコリメータレンズや対物レンズなどを備えて構成される。より詳細には、データの記録時には、レーザダイオード４０は、ＬＤドライバ１０の制御のもと、光ディスク１００に対してレーザ光ＬＢをパワーを変更させながら照射する。このとき、ＬＤドライバ１０は、上述したようにライトストラテジを実現させるための、例えば駆動信号を生成し、レーザダイオード４０を駆動する。その結果、光ディスク１００の記録面上に、データに応じたデータパターンが形成される。【０１６１】
信号記録再生部５３は、ＣＰＵ５４の制御を受けながらスピンドルモータ５１及び光ピックアップ５２の動作を夫々制御することで、光ディスク１００に対して記録を行う。より具体的には、信号記録再生部５３は、例えば、ヘッドアンプなどによって構成されている。ヘッドアンプは、光ピックアップ５２内に設けられたフォトディテクタ４１の出力信号（即ち、レーザ光の反射光を示す信号であって、読取信号）を増幅し、該増幅した信号を出力する。また、信号記録再生部５３は、後述するホストコンピュータ３０からの光ディスク１００に係る情報や記録データなどの入力を受け、ＬＤドライバ１０へと出力する。【０１６２】
ＣＰＵ５４は、信号記録再生部５３、メモリ５５及び入出力制御部５６と、バス５７を介して接続され、信号記録再生部５３、メモリ５５及び入出力制御部５６に指示を行うことで、ディスクドライブ５０全体の制御を行う。通常、ＣＰＵ５４が動作するためのソフトウェア又はファームウェアは、メモリ５５に格納されている。【０１６３】
メモリ５５は、記録動作などに用いられるデータのバッファ領域や信号記録再生部５３で使用できるデータに変換する時の中間バッファとして使用される領域等であって、ディスクドライブ５０におけるデータ処理全般において使用される。また、メモリ５５は、情報記録装置１の動作を行うためのプログラム（即ち、ファームウェア）が格納されるＲＯＭ領域と、記録動作などに用いられるデータが一時的に格納されたりファームウェア等の動作に必要な変数等が格納されたりするＲＡＭ領域などから構成される。【０１６４】
入出力制御部５６は、ディスクドライブ５０に対する外部からのデータ入出力を制御する。ＳＣＳＩやＡＴＡＰＩなどのインタフェースを介してディスクドライブ５０と接続されている外部のホストコンピュータ３０から発行されるドライブ制御命令は、入出力制御部５６を介してＣＰＵ５４に伝達される。また、記録動作などに用いられるデータも同様に、入出力制御部５６を介して、ホストコンピュータ３０とやり取りされる。【０１６５】
以上説明した、情報記録装置１の一具体例は、例えば、公知のパーソナルコンピュータやワークステーションなどであるホストコンピュータ３０の制御のもと、データの記録を行うディスクドライブである。また、別の具体例では、映像を記録するレコーダ機器等の家庭用機器である。このレコーダ機器は、その内部にディスクドライブ部とそれをコントロールするコントロール部を備えており、このコントロール部が図１５のホストコンピュータに相当する。【０１６６】
本発明は、上述した実施例に限られるものではなく、特許請求の範囲及び明細書全体から読み取れる発明の要旨或いは思想に反しない範囲で適宜変更可能であり、そのような変更を伴うレーザ駆動装置、信号処理回路及び情報記録装置もまた本発明の技術的範囲に含まれるものである。
【図１】
2010070769.tif 000003
【図２】
2010070769.tif 000004
【図３】
2010070769.tif 000005
【図４】
2010070769.tif 000006
【図５】
2010070769.tif 000007
【図６】
2010070769.tif 000008
【図７】
2010070769.tif 000009
【図８】
2010070769.tif 000010
【図９】
2010070769.tif 000011
【図１０】
2010070769.tif 000012
【図１１】
2010070769.tif 000013
【図１２】
2010070769.tif 000014
【図１３】
2010070769.tif 000015
【図１４】
2010070769.tif 000016
【図１５】
2010070769.tif 000017
【国際調査報告】
2010070769.tif 000018
2010070769.tif 000019
2010070769.tif 000020